【手続補正書】
【提出日】平成19年5月8日(2007.5.8)
【手続補正１】
【補正対象書類名】特許請求の範囲
【補正対象項目名】全文
【補正方法】変更
【補正の内容】
【特許請求の範囲】
【請求項１】
本露光前にプリ発光を行うプリ発光制御手段と、
画面内を複数の領域に分割して被写体反射光を撮像素子にて測光する第一の測光手段と、
フラッシュ発光量を直接測光する前記第一の測光手段とは別の第二の測光手段と、
プリ発光時における前記第一の測光手段及び前記第二の測光手段で測光した測光情報に基づいて本発光を行う本発光制御手段と、
前記第二の測光手段で測光した測光情報に基づいて、フラッシュ撮影後に撮像画像の輝度補正を行う輝度補正量演算手段とを備えることを特徴とする撮像装置。
【請求項２】
前記第一の測光手段は、プリ発光の反射光から主被写体位置を推定する主被写体位置推定手段を備えることを特徴とする請求項１に記載の撮像装置。
【請求項３】
前記本発光制御手段は、前記主被写体位置推定手段で推定した主被写体位置と、前記第二の測光手段で測光したプリ発光量とから、前記主被写体位置に重み付けを施した上で撮像画像を目標輝度とするような本発光量目標値を演算する手段であることを特徴とする請求項２に記載の撮像装置。
【請求項４】
前記輝度補正量演算手段は、前記本発光制御手段で演算した本発光量目標値と、前記第二の測光手段で測光した本発光量とから、主被写体輝度を補正する補正量を演算することを特徴とする請求項３に記載の撮像装置。
【請求項５】
前記輝度補正量演算手段は、画像全体に対し均一に輝度補正を行うことを特徴とする請求項４に記載の撮像装置。
【請求項６】
前記輝度補正量演算手段は、前記主被写体位置に基づく重み付け係数をもって画像全体に対し輝度補正を行うことを特徴とする請求項４に記載の撮像装置。
【請求項７】
前記輝度補正量演算手段は、前記主被写体位置推定手段よりも高精度な主被写体位置推定を行い、その高精度な主被写体推定位置に基づく重み付け係数をもって画像全体に対し輝度補正を行うことを特徴とする請求項４に記載の撮像装置。
【請求項８】
前記本発光制御手段は、プリ発光時における前記第一の測光手段及び前記第二の測光手段で測光した測光情報に基づいて撮像画像を目標輝度とするための本発光量目標値を演算し、前記第二の測光手段にて測光されたフラッシュ発光量が前記本発光量目標値よりも小さな設定値に到達すると本発光を停止し、
前記輝度補正量演算手段は、前記第二の測光手段で測光した本発光の停止後の光量も含めた測光情報と前記本発光量目標値に基づいて前記輝度補正を行うことを特徴とする請求項１に記載の撮像装置。
【請求項９】
画面内を複数の領域に分割して被写体反射光を測光する第一の測光手段と、フラッシュ発光量を直接測光する前記第一の測光手段とは別の第二の測光手段とを備えた撮像装置の制御方法であって、
本露光前にプリ発光を行うプリ発光制御手順と、
前記第一の測光手段によりプリ発光時における被写体反射光を撮像素子にて測光する第一の測光手順と、
前記第二の測光手段によりプリ発光時におけるフラッシュ発光量を測光する第二の測光手順と、
前記第一の測光手順及び前記第二の測光手順で測光した測光情報に基づいて本発光を行う本発光制御手順と、
前記第二の測光手段で測光した測光情報に基づいて、フラッシュ撮影後に撮像画像の輝度補正を行う輝度補正量演算手順とを有することを特徴とする撮像装置の制御方法。
【請求項１０】
画面内を複数の領域に分割して被写体反射光を測光する第一の測光手段と、フラッシュ発光量を直接測光する前記第一の測光手段とは別の第二の測光手段とを備えた撮像装置を制御するためのコンピュータプログラムであって、
本露光前にプリ発光を行うプリ発光制御処理と、
前記第一の測光手段によりプリ発光時における被写体反射光を撮像素子にて測光する第一の測光処理と、
前記第二の測光手段によりプリ発光時におけるフラッシュ発光量を測光する第二の測光処理と、
前記第一の測光手順及び前記第二の測光手順で測光した測光情報に基づいて本発光を行う本発光制御処理と、
前記第二の測光手段で測光した測光情報に基づいて、フラッシュ撮影後に撮像画像の輝度補正を行う輝度補正量演算処理とをコンピュータに実行させることを特徴とするコンピュータプログラム。
【手続補正２】
【補正対象書類名】明細書
【補正対象項目名】００１４
【補正方法】変更
【補正の内容】
【００１４】
本発明の撮像装置は、本露光前にプリ発光を行うプリ発光制御手段と、画面内を複数の領域に分割して被写体反射光を撮像素子にて測光する第一の測光手段と、フラッシュ発光量を直接測光する前記第一の測光手段とは別の第二の測光手段と、プリ発光時における前記第一の測光手段及び前記第二の測光手段で測光した測光情報に基づいて本発光を行う本発光制御手段と、前記第二の測光手段で測光した測光情報に基づいて、フラッシュ撮影後に撮像画像の輝度補正を行う輝度補正量演算手段とを備える点に特徴を有する。
本発明の撮像装置の制御方法は、画面内を複数の領域に分割して被写体反射光を測光する第一の測光手段と、フラッシュ発光量を直接測光する前記第一の測光手段とは別の第二の測光手段とを備えた撮像装置の制御方法であって、本露光前にプリ発光を行うプリ発光制御手順と、前記第一の測光手段によりプリ発光時における被写体反射光を撮像素子にて測光する第一の測光手順と、前記第二の測光手段によりプリ発光時におけるフラッシュ発光量を測光する第二の測光手順と、前記第一の測光手順及び前記第二の測光手順で測光した測光情報に基づいて本発光を行う本発光制御手順と、前記第二の測光手段で測光した測光情報に基づいて、フラッシュ撮影後に撮像画像の輝度補正を行う輝度補正量演算手順とを有する点に特徴を有する。
本発明のコンピュータプログラムは、画面内を複数の領域に分割して被写体反射光を測光する第一の測光手段と、フラッシュ発光量を直接測光する前記第一の測光手段とは別の第二の測光手段とを備えた撮像装置を制御するためのコンピュータプログラムであって、本露光前にプリ発光を行うプリ発光制御処理と、前記第一の測光手段によりプリ発光時における被写体反射光を撮像素子にて測光する第一の測光処理と、前記第二の測光手段によりプリ発光時におけるフラッシュ発光量を測光する第二の測光処理と、前記第一の測光手順及び前記第二の測光手順で測光した測光情報に基づいて本発光を行う本発光制御処理と、前記第二の測光手段で測光した測光情報に基づいて、フラッシュ撮影後に撮像画像の輝度補正を行う輝度補正量演算処理とをコンピュータに実行させる点に特徴を有する。
【手続補正３】
【補正対象書類名】明細書
【補正対象項目名】００４２
【補正方法】変更
【補正の内容】
【００４２】
まず、ステップＳ２１１においてシャッタースイッチＳＷ１が押されたことを判断すると、ステップＳ２００において撮像素子１４を露光し、周知のアルゴリズムにより被写界輝度を演算する。予め与えられているプログラム線図に従い、ここで演算された被写界輝度から絞り値とシャッター速度の露出演算を行い、露出を制御する。ただし、使用者によって設定されているモード設定によっては、ここで演算された露出値は用いず、操作者の設定する露出値を用いる。
【手続補正４】
【補正対象書類名】明細書
【補正対象項目名】００４７
【補正方法】変更
【補正の内容】
【００４７】
図３は主被写体エリア推定を例示するために示した、画像データにおける主被写体と分割測光枠の例である。このような画像において、各分割測光枠のうちでフラッシュの反射光がある閾値よりも大きい位置に主被写体が存在するものとする主被写体エリア推定手法を用いる。ここで、背景エリアと主被写体エリアを「０」と「１」とで切り分けてもよく、ある閾値とは輝度レベルの絶対値であっても、背景と推定されるエリアとの相対値で与えてあってもよい。また、このとき、主被写体よりも近傍に存在する、例えば飲食中の画像におけるグラスや花瓶等の存在を加味した、上記主被写体エリア推定手法よりも高精度な主被写体エリア推定アルゴリズムを併用して主被写体位置を推定してもよい。前記主被写体エリアの推定手法によれば、図３の画像データにおいては図４で影をつけたように主被写体エリアが推定される。したがって、重み付け係数演算は、図５で影をつけたエリア、すなわち主被写体エリアに大きな重み付けがなされることになる。